(57)【特許請求の範囲】
【請求項１】
無線通信システムにおいてＰＵＳＣＨ（Ｐｈｙｓｉｃａｌ  Ｕｐｌｉｎｋ  Ｓｈａｒｅｄ  Ｃｈａｎｎｅｌ）に対するＤＭＲＳ（Ｄｅｍｏｄｕｌａｔｉｏｎ  Ｒｅｆｅｒｅｎｃｅ  Ｓｉｇｎａｌ）を送信する方法であって、
前記方法は、
第１、第２および第３のＤＭＲＳシーケンスを生成することであって、前記第１、第２および第３のＤＭＲＳシーケンスは、それぞれ、複数のレイヤのうちの第１、第２および第３のレイヤに関連し、前記第１、第２および第３のＤＭＲＳシーケンスにそれぞれ第１、第２および第３の循環シフトが割り当てられる、ことと、
それぞれ、前記第１、第２および第３のＤＭＲＳシーケンスを、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルおよび副搬送波の一セットのリソース要素（ＲＥ）にマッピングすることにより第１、第２および第３のＤＭＲＳを形成することと、
前記第１、第２および第３のＤＭＲＳを基地局に送信することと
を含み、
前記第１、第２および第３のＤＭＲＳシーケンスに割り当てられる前記第１、第２および第３の循環シフトは、それぞれ、第１のパラメータ、第２のパラメータおよび第３のパラメータに基づいて決定され、前記第１、第２および第３のパラメータは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して受信される共通循環シフトフィールドにより指示され、
前記第１および第２のパラメータは、可能な循環シフトの総数に対応する最大値だけ分離されており、
前記第３のパラメータは、前記第１のパラメータと前記第２のパラメータとの間の中間値だけ、前記第１のパラメータおよび前記第２のパラメータの各々と分離されている、方法。
【請求項２】
可能な第１、第２および第３の循環シフトの総数は、１２である、請求項１に記載の方法。
【請求項３】
前記可能な循環シフトの総数に対応する最大値は、６であり、前記中間値は、３である、請求項１に記載の方法。
【請求項４】
前記共通循環シフトフィールドは、３ビットの長さを有する、請求項１に記載の方法。
【請求項５】
前記第１、第２および第３のパラメータの各々は、ＤＣＩ（Ｄｏｗｎｌｉｎｋ  Ｃｏｎｔｒｏｌ  Ｉｎｆｏｒｍａｔｉｏｎ）フォーマットに対応する、請求項１に記載の方法。
【請求項６】
前記第１、第２および第３のＤＭＲＳシーケンスは、
【数１】
0005518198.tif 000040
により表され、
ここで、
【数２】
0005518198.tif 000041
であり、
前記複数のレイヤは、
【数３】
0005518198.tif 000042
により表され、前記第１のレイヤは、λ＝０の値を有し、前記第２のレイヤは、λ＝１の値を有し、前記第３のレイヤは、λ＝２の値を有し、
前記第１、第２および第３の循環シフトは、
【数４】
0005518198.tif 000043
により表され、
前記第１の循環シフトは、λ＝０に対応し、前記第２の循環シフトは、λ＝１に対応し、前記第３の循環シフトは、λ＝２に対応し、
ここで、
【数５】
0005518198.tif 000044
であり、
【数６】
0005518198.tif 000045
の値は、第１の表に提供され、
【数７】
0005518198.tif 000046
の値は、第２の表に提供され、
【数８】
0005518198.tif 000047
は、それぞれ、λ＝０、λ＝１およびλ＝２のときに、前記第１、第２および第３のパラメータに等しく、
【数９】
0005518198.tif 000048
は、ランダムシーケンスに対応する、請求項１に記載の方法。
【請求項７】
前記第２の表は、
【表１】
0005518198.tif 000049
を含み、
Ｚは、前記ＰＤＣＣＨを介して受信される前記共通循環シフトフィールドである、請求項６に記載の方法。
【請求項８】
前記第１の表は、
【表２】
0005518198.tif 000050
を含む、請求項６に記載の方法。
【請求項９】
無線通信システムにおいてＰＵＳＣＨ（Ｐｈｙｓｉｃａｌ  Ｕｐｌｉｎｋ  Ｓｈａｒｅｄ  Ｃｈａｎｎｅｌ）に対するＤＭＲＳ（Ｄｅｍｏｄｕｌａｔｉｏｎ  Ｒｅｆｅｒｅｎｃｅ  Ｓｉｇｎａｌ）を送信する装置であって、
前記装置は、
無線信号を送信または受信するように構成されたＲＦ（Ｒａｄｉｏ  Ｆｒｅｑｕｅｎｃｙ）部と、
前記ＲＦ部と連結されるプロセッサと
を備え、
前記プロセッサは、
第１、第２および第３のＤＭＲＳシーケンスを生成することであって、前記第１、第２および第３のＤＭＲＳシーケンスは、それぞれ、複数のレイヤのうちの第１、第２および第３のレイヤに関連し、前記第１、第２および第３のＤＭＲＳシーケンスにそれぞれ第１、第２および第３の循環シフトが割り当てられる、ことと、
それぞれ、前記第１、第２および第３のＤＭＲＳシーケンスを、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルおよび副搬送波の一セットのリソース要素（ＲＥ）にマッピングすることにより第１、第２および第３のＤＭＲＳを形成することと、
前記第１、第２および第３のＤＭＲＳを基地局に送信することと
を実行するように構成され、
前記第１、第２および第３のＤＭＲＳシーケンスに割り当てられる前記第１、第２および第３の循環シフトは、それぞれ、第１のパラメータ、第２のパラメータおよび第３のパラメータに基づいて決定され、前記第１、第２および第３のパラメータは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して受信される共通循環シフトフィールドにより指示され、
前記第１および第２のパラメータは、可能な循環シフトの総数に対応する最大値だけ分離されており、
前記第３のパラメータは、前記第１のパラメータと前記第２のパラメータとの間の中間値だけ、前記第１のパラメータおよび前記第２のパラメータの各々と分離されている、装置。
【請求項１０】
可能な第１、第２および第３の循環シフトの総数は、１２である、請求項９に記載の装置。
【請求項１１】
前記可能な循環シフトの総数に対応する最大値は、６であり、前記中間値は、３である、請求項９に記載の装置。
【請求項１２】
前記共通循環シフトフィールドは、３ビットの長さを有する、請求項９に記載の装置。
【請求項１３】
前記第１、第２および第３のパラメータの各々は、ＤＣＩ（Ｄｏｗｎｌｉｎｋ  Ｃｏｎｔｒｏｌ  Ｉｎｆｏｒｍａｔｉｏｎ）フォーマットに対応する、請求項９に記載の装置。
【請求項１４】
前記第１、第２および第３のＤＭＲＳシーケンスは、
【数１０】
0005518198.tif 000051
により表され、
ここで、
【数１１】
0005518198.tif 000052
であり、
前記複数のレイヤは、
【数１２】
0005518198.tif 000053
により表され、前記第１のレイヤは、λ＝０の値を有し、前記第２のレイヤは、λ＝１の値を有し、前記第３のレイヤは、λ＝２の値を有し、
前記第１、第２および第３の循環シフトは、
【数１３】
0005518198.tif 000054
により表され、
前記第１の循環シフトは、λ＝０に対応し、前記第２の循環シフトは、λ＝１に対応し、前記第３の循環シフトは、λ＝２に対応し、
ここで、
【数１４】
0005518198.tif 000055
であり、
【数１５】
0005518198.tif 000056
の値は、第１の表に提供され、
【数１６】
0005518198.tif 000057
の値は、第２の表に提供され、
【数１７】
0005518198.tif 000058
は、それぞれ、λ＝０、λ＝１およびλ＝２のときに、前記第１、第２および第３のパラメータに等しく、
【数１８】
0005518198.tif 000059
は、ランダムシーケンスに対応する、請求項９に記載の装置。
【請求項１５】
前記第２の表は、
【表３】
0005518198.tif 000060
を含み、
Ｚは、前記ＰＤＣＣＨを介して受信される前記共通循環シフトフィールドである、請求項１４に記載の装置。
【請求項１６】
前記第１の表は、
【表４】
0005518198.tif 000061
を含む、請求項１４に記載の装置。
【発明の詳細な説明】
【技術分野】
【０００１】
本発明は、無線通信に関し、より詳しくは、多重アンテナシステムにおける参照信号送信方法及び装置に関する。
【背景技術】
【０００２】
広帯域無線通信システムの場合、限定された無線資源の効率性を極大化するために効果的な送受信技法及び活用方案が提案されてきた。次世代無線通信システムで考慮されているシステムのうち一つが、低い複雑度でシンボル間干渉（ＩＳＩ；Ｉｎｔｅｒ−Ｓｙｍｂｏｌ  Ｉｎｔｅｒｆｅｒｅｎｃｅ）効果を減殺させることができる直交周波数分割多重（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムである。ＯＦＤＭは、直列に入力されるデータシンボルをＮ個の並列データシンボルに変換し、各々分離されたＮ個の副搬送波（ｓｕｂｃａｒｒｉｅｒ）に載せて送信する。副搬送波は、周波数次元で直交性を維持するようにする。各々の直交チャネルは、相互独立的な周波数選択的フェーディング（ｆｒｅｑｕｅｎｃｙ  ｓｅｌｅｃｔｉｖｅ  ｆａｄｉｎｇ）を経験するようになり、これによって、受信端での複雑度が減少し、送信されるシンボルの間隔が長くなるため、シンボル間干渉が最小化されることができる。
【０００３】
直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；以下、ＯＦＤＭＡという）とは、ＯＦＤＭを変調方式に使用するシステムにおいて利用可能な副搬送波の一部を各ユーザに独立的に提供して多重接続を実現する多重接続方法のことである。ＯＦＤＭＡは、副搬送波という周波数リソースを各ユーザに提供し、各々の周波数リソースは、多数のユーザに独立的に提供されて互いに重ならないのが一般的である。結局、周波数リソースは、ユーザ毎に相互排他的に割り当てられる。ＯＦＤＭＡシステムで周波数選択的スケジューリング（ｆｒｅｑｕｅｎｃｙ  ｓｅｌｅｃｔｉｖｅ  ｓｃｈｅｄｕｌｉｎｇ）を介して多重ユーザに対する周波数ダイバーシティ（ｆｒｅｑｕｅｎｃｙ  ｄｉｖｅｒｓｉｔｙ）を得ることができ、副搬送波に対する順列（ｐｅｒｍｕｔａｔｉｏｎ）方式によって副搬送波を多様な形態に割り当てることができる。また、多重アンテナ（ｍｕｌｔｉｐｌｅ  ａｎｔｅｎｎａ）を用いた空間多重化技法により空間領域の効率性を高めることができる。
【０００４】
ＭＩＭＯ（Ｍｕｌｔｉｐｌｅ−Ｉｎ  Ｍｕｌｔｉｐｌｅ−Ｏｕｔ）技術は、多重送信アンテナと多重受信アンテナを使用してデータの送受信効率を向上させる。ＭＩＭＯシステムでダイバーシティを具現するための技法には、ＳＦＢＣ（Ｓｐａｃｅ  Ｆｒｅｑｕｅｎｃｙ  Ｂｌｏｃｋ  Ｃｏｄｅ）、ＳＴＢＣ（Ｓｐａｃｅ  Ｔｉｍｅ  Ｂｌｏｃｋ  Ｃｏｄｅ）、ＣＤＤ（Ｃｙｃｌｉｃ  Ｄｅｌａｙ  Ｄｉｖｅｒｓｉｔｙ）、ＦＳＴＤ（ｆｒｅｑｕｅｎｃｙ  ｓｗｉｔｃｈｅｄ  ｔｒａｎｓｍｉｔ  ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ）、ＰＶＳ（Ｐｒｅｃｏｄｉｎｇ  Ｖｅｃｔｏｒ  Ｓｗｉｔｃｈｉｎｇ）、空間多重化（ＳＭ；Ｓｐａｔｉａｌ  Ｍｕｌｔｉｐｌｅｘｉｎｇ）などがある。受信アンテナ数と送信アンテナ数によるＭＩＭＯチャネル行列は、複数の独立チャネルに分解されることができる。各々の独立チャネルをレイヤ（ｌａｙｅｒ）またはストリーム（ｓｔｒｅａｍ）という。レイヤの個数をランク（ｒａｎｋ）という。
【０００５】
無線通信システムではデータの送／受信、システム同期獲得、チャネル情報フィードバックなどのためにアップリンクチャネルまたはダウンリンクチャネルを推定する必要がある。無線通信システム環境では多重経路時間遅延のためフェーディングが発生するようになる。フェーディングによる急激な環境変化により発生する信号の歪曲を補償して送信信号を復元する過程をチャネル推定という。また、端末が属するセル或いは他のセルに対するチャネル状態（ｃｈａｎｎｅｌ  ｓｔａｔｅ）を測定する必要がある。チャネル推定またはチャネル状態測定のために、一般的に送受信機が相互間に知っている参照信号（ＲＳ；Ｒｅｆｅｒｅｎｃｅ  Ｓｉｇｎａｌ）を用いてチャネル推定を実行するようになる。
【０００６】
参照信号送信に使われる副搬送波を参照信号副搬送波といい、データ送信に使われるリソース要素をデータ副搬送波という。ＯＦＤＭシステムで、参照信号は、全ての副搬送波に割り当てる方式とデータ副搬送波間に割り当てる方式とがある。参照信号を全ての副搬送波に割り当てる方式は、チャネル推定性能の利得を得るためにプリアンブル信号のように参照信号のみからなる信号を用いる。これを使用する場合、一般的に参照信号の密度が高いため、データ副搬送波間に参照信号を割り当てる方式に比べてチャネル推定性能が改善されることができる。然しながら、データの送信量が減少されるため、データの送信量を増大させるためにはデータ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００７】
受信機は、参照信号の情報を知っているため、受信された信号でこれを分けてチャネルを推定することができ、推定されたチャネル値を補償して送信端で送ったデータを正確に推定することができる。送信機で送る参照信号をｐ、参照信号が送信中に経るようになるチャネル情報をｈ、受信機で発生する列雑音をｎ、受信機で受信された信号をｙとすると、ｙ＝ｈ・ｐ＋ｎのように示すことができる。この時、参照信号ｐは、受信機が既に知っているため、ＬＳ（Ｌｅａｓｔ  Ｓｑｕａｒｅ）方式を用いる場合、数式１のようにチャネル情報
【化１】
0005518198.tif 000002
を推定することができる。
【０００８】
【数１】
0005518198.tif 000003
【０００９】
この時、参照信号ｐを用いて推定したチャネル推定値
【化２】
0005518198.tif 000004
は、
【化３】
0005518198.tif 000005
値によってその正確度が決定されるようになる。従って、正確なｈ値の推定のためには、
【化４】
0005518198.tif 000006
が０に収束しなければならず、このためには多くの個数の参照信号を用いてチャネルを推定して
【化５】
0005518198.tif 000007
の影響を最小化しなければならない。優秀なチャネル推定性能のための多様なアルゴリズムが存在することができる。
【００１０】
一方、現在、３ＧＰＰ  ＬＴＥシステムでは、アップリンク送信で複数のアンテナを使用するＭＩＭＯシステムをサポートする参照信号送信方法及びそれによる参照信号シーケンスの循環シフト（ｃｙｃｌｉｃ  ｓｈｉｆｔ）値の割当方法に対して提案されたことがない。従って、ＭＩＭＯシステムでチャネル推定の性能を保障する参照信号送信方法が要求される。
【発明の概要】
【発明が解決しようとする課題】
【００１１】
本発明の技術的課題は、多重アンテナシステムにおける参照信号送信方法及び装置を提供することである。
【課題を解決するための手段】
【００１２】
一態様において、多重アンテナシステムにおける参照信号送信方法が提供される。前記参照信号送信方法は、複数のレイヤ（ｌａｙｅｒ）に対して各々異なる循環シフト（ｃｙｃｌｉｃ  ｓｈｉｆｔ）値が割り当てられた複数の参照信号シーケンスを生成し、前記複数の参照信号シーケンスがマッピングされるＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを生成し、前記ＳＣ−ＦＤＭＡシンボルを複数のアンテナを介して基地局に送信することを含み、前記各レイヤに割り当てられた循環シフト値は、前記複数のレイヤのうち第１のレイヤに割り当てられた循環シフト値である第１の循環シフト値と、各レイヤに割り当てられた互いに異なる循環シフトオフセットとに基づいて決定されることを特徴とする。前記第１の循環シフト値と、前記複数のレイヤのうち第２のレイヤに割り当てられた循環シフト値である第２の循環シフト値とは、その間隔が最大になる。前記複数のレイヤの個数は、３個である。前記複数のレイヤのうち第３のレイヤに割り当てられた循環シフトオフセットである第３の循環シフトオフセットは、前記複数のレイヤのうち、第１のレイヤに割り当てられた循環シフトオフセットである前記第１の循環シフトオフセットと、第２のレイヤに割り当てられた循環シフトオフセットである前記第２の循環シフトオフセットとの中間値である。前記第１の循環シフトオフセット、前記第２の循環シフトオフセット、及び第３の循環シフトオフセットは、各々、０、６及び３である。前記複数のレイヤの個数が４個である時、前記複数のレイヤのうち、第３のレイヤに割り当てられた循環シフト値である第３の循環シフト値と、第４のレイヤに割り当てられた循環シフト値である第４の循環シフト値とは、その間隔が最大になる。前記複数のレイヤに対する参照信号シーケンスの循環シフト値は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信されるＤＣＩ（Ｄｏｗｎｌｉｎｋ  Ｃｏｎｔｒｏｌ  Ｉｎｆｏｒｍａｔｉｏｎ）フォーマット内の循環シフトフィールド（ｃｙｃｌｉｃ  ｓｈｉｆｔ  ｆｉｅｌｄ）により指示される。前記循環シフトフィールドの長さは、３ビットである。前記複数の参照信号シーケンスは、サブフレーム（ｓｕｂｆｒａｍｅ）を構成する２個のスロットで各々送信される。前記複数の参照信号シーケンスは、ノーマル（ｎｏｒｍａｌ）ＣＰ（ｃｙｃｌｉｃ  ｐｒｅｆｉｘ）である場合には前記各スロットの４番目のＳＣ−ＦＤＭＡシンボルで送信され、拡張（ｅｘｔｅｎｄｅｄ）ＣＰである場合には前記各スロットの３番目のＳＣ−ＦＤＭＡシンボルで送信される。前記複数のレイヤに対する参照信号シーケンスにＯＣＣ（Ｏｒｔｈｏｇｏｎａｌ  Ｃｏｖｅｒｉｎｇ  Ｃｏｄｅ）が適用される。
【００１３】
他の態様において、参照信号送信装置が提供される。前記参照信号送信装置は、複数のレイヤ（ｌａｙｅｒ）に対して各々異なる循環シフト値が割り当てられた複数の参照信号シーケンスを生成する参照信号生成部、前記複数の参照信号シーケンスがマッピングされるＳＣ−ＦＤＭＡシンボルを生成するＳＣ−ＦＤＭＡシンボル生成部、及び前記ＳＣ−ＦＤＭＡシンボルを複数のアンテナを介して基地局に送信するＲＦ部を含み、前記各レイヤに割り当てられた循環シフト値は、前記複数のレイヤのうち第１のレイヤに割り当てられた循環シフト値である第１の循環シフト値と、各レイヤに割り当てられた互いに異なる循環シフトオフセットとに基づいて決定されることを特徴とする。前記第１の循環シフト値と、前記複数のレイヤのうち第２のレイヤに割り当てられた循環シフト値である第２の循環シフト値とは、その間隔が最大になる。前記複数のレイヤのうち第３のレイヤに割り当てられた循環シフトオフセットである第３の循環シフトオフセットは、前記複数のレイヤのうち、第１のレイヤに割り当てられた循環シフトオフセットである前記第１の循環シフトオフセットと、第２のレイヤに割り当てられた循環シフトオフセットである前記第２の循環シフトオフセットとの中間値である。前記第１の循環シフトオフセット、前記第２の循環シフトオフセット、及び第３の循環シフトオフセットは、各々、０、６及び３である。
本発明は、例えば以下の項目を提供する。
（項目１）
多重アンテナシステムにおける参照信号送信方法において、
複数のレイヤ（ｌａｙｅｒ）に対して各々異なる循環シフト（ｃｙｃｌｉｃ  ｓｈｉｆｔ）値が割り当てられた複数の参照信号シーケンスを生成し、
前記複数の参照信号シーケンスがマッピングされるＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを生成し、
前記ＳＣ−ＦＤＭＡシンボルを複数のアンテナを介して基地局に送信することを含み、
前記各レイヤに割り当てられた循環シフト値は、前記複数のレイヤのうち第１のレイヤに割り当てられた循環シフト値である第１の循環シフト値と、各レイヤに割り当てられた互いに異なる循環シフトオフセットとに基づいて決定されることを特徴とする参照信号送信方法。
（項目２）
前記第１の循環シフト値と、前記複数のレイヤのうち第２のレイヤに割り当てられた循環シフト値である第２の循環シフト値とは、その間隔が最大になることを特徴とする項目１に記載の参照信号送信方法。
（項目３）
前記複数のレイヤの個数は、３個であることを特徴とする項目１に記載の参照信号送信方法。
（項目４）
前記複数のレイヤのうち第３のレイヤに割り当てられた循環シフトオフセットである第３の循環シフトオフセットは、前記複数のレイヤのうち、第１のレイヤに割り当てられた循環シフトオフセットである前記第１の循環シフトオフセットと、第２のレイヤに割り当てられた循環シフトオフセットである前記第２の循環シフトオフセットとの中間値であることを特徴とする項目１に記載の参照信号送信方法。
（項目５）
前記第１の循環シフトオフセット、前記第２の循環シフトオフセット、及び第３の循環シフトオフセットは、各々、０、６及び３であることを特徴とする項目４に記載の参照信号送信方法。
（項目６）
前記複数のレイヤの個数が４個である時、前記複数のレイヤのうち、第３のレイヤに割り当てられた循環シフト値である第３の循環シフト値と、第４のレイヤに割り当てられた循環シフト値である第４の循環シフト値とは、その間隔が最大になることを特徴とする項目１に記載の参照信号送信方法。
（項目７）
前記複数のレイヤに対する参照信号シーケンスの循環シフト値は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信されるＤＣＩ（Ｄｏｗｎｌｉｎｋ  Ｃｏｎｔｒｏｌ  Ｉｎｆｏｒｍａｔｉｏｎ）フォーマット内の循環シフトフィールド（ｃｙｃｌｉｃ  ｓｈｉｆｔ  ｆｉｅｌｄ）により指示されることを特徴とする項目１に記載の参照信号送信方法。
（項目８）
前記循環シフトフィールドの長さは、３ビットであることを特徴とする項目７に記載の参照信号送信方法。
（項目９）
前記複数の参照信号シーケンスは、サブフレーム（ｓｕｂｆｒａｍｅ）を構成する２個のスロットで各々送信されることを特徴とする項目１に記載の参照信号送信方法。
（項目１０）
前記複数の参照信号シーケンスは、ノーマル（ｎｏｒｍａｌ）ＣＰ（ｃｙｃｌｉｃ  ｐｒｅｆｉｘ）である場合には前記各スロットの４番目のＳＣ−ＦＤＭＡシンボルで送信され、拡張（ｅｘｔｅｎｄｅｄ）ＣＰである場合には前記各スロットの３番目のＳＣ−ＦＤＭＡシンボルで送信されることを特徴とする項目９に記載の参照信号送信方法。
（項目１１）
前記複数のレイヤに対する参照信号シーケンスにＯＣＣ（Ｏｒｔｈｏｇｏｎａｌ  Ｃｏｖｅｒｉｎｇ  Ｃｏｄｅ）が適用されることを特徴とする項目１に記載の参照信号送信方法。
（項目１２）
複数のレイヤ（ｌａｙｅｒ）に対して各々異なる循環シフト（ｃｙｃｌｉｃ  ｓｈｉｆｔ）値が割り当てられた複数の参照信号シーケンスを生成する参照信号生成部；
前記複数の参照信号シーケンスがマッピングされるＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを生成するＳＣ−ＦＤＭＡシンボル生成部；及び、
前記ＳＣ−ＦＤＭＡシンボルを複数のアンテナを介して基地局に送信するＲＦ部；を含み、
前記各レイヤに割り当てられた循環シフト値は、前記複数のレイヤのうち第１のレイヤに割り当てられた循環シフト値である第１の循環シフト値と、各レイヤに割り当てられた互いに異なる循環シフトオフセットとに基づいて決定されることを特徴とする参照信号送信装置。
（項目１３）
前記第１の循環シフト値と、前記複数のレイヤのうち第２のレイヤに割り当てられた循環シフト値である第２の循環シフト値とは、その間隔が最大になることを特徴とする項目１２に記載の参照信号送信装置。
（項目１４）
前記複数のレイヤのうち第３のレイヤに割り当てられた循環シフトオフセットである第３の循環シフトオフセットは、前記複数のレイヤのうち、第１のレイヤに割り当てられた循環シフトオフセットである前記第１の循環シフトオフセットと、第２のレイヤに割り当てられた循環シフトオフセットである前記第２の循環シフトオフセットとの中間値であることを特徴とする項目１２に記載の参照信号送信装置。
（項目１５）
前記第１の循環シフトオフセット、前記第２の循環シフトオフセット、及び第３の循環シフトオフセットは、各々、０、６及び３であることを特徴とする項目１４に記載の参照信号送信装置。
【発明の効果】
【００１４】
参照信号シーケンスに対する循環シフト（ｃｙｃｌｉｃ  ｓｈｉｆｔ）値を効率的に割り当てることによって、チャネル推定性能を保障することができる。
【図面の簡単な説明】
【００１５】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】ＳＣ−ＦＤＭＡシステムにおける送信機構造の一例を示す。
【図７】副搬送波マッパが複素数シンボルを周波数領域の各副搬送波にマッピングする方式の一例を示す。
【図８】復調のための参照信号送信機の構造の一例を示す。
【図９】参照信号が送信されるサブフレームの構造の一例である。
【図１０】クラスタ化されたＤＦＴ−ｓ  ＯＦＤＭ送信方式を適用した送信機の一例である。
【図１１】クラスタ化されたＤＦＴ−ｓ  ＯＦＤＭ送信方式を適用した送信機の他の例である。
【図１２】クラスタ化されたＤＦＴ−ｓ  ＯＦＤＭ送信方式を適用した送信機の他の例である。
【図１３】提案された参照信号送信方法の一実施例を示す。
【図１４】本発明の実施例が具現される端末のブロック図である。
【発明を実施するための形態】
【００１６】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づいているシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。３ＧＰＰ  ＬＴＥ−Ａ（Ａｄｖａｎｃｅｄ）は３ＧＰＰ  ＬＴＥの進化である。
【００１７】
説明を明確にするために、３ＧＰＰ  ＬＴＥ−Ａを中心に記述するが、本発明の技術的思想がこれに制限されるものではない。
【００１８】
図１は、無線通信システムである。
【００１９】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは複数の領域（セクターという）に分けられることができる。端末（Ｕｓｅｒ  Ｅｑｕｉｐｍｅｎｔ；ＵＥ）１２は、固定されたり、或いは移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２０】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００２１】
この技術は、ダウンリンク（ｄｏｗｎｌｉｎｋ）またはアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００２２】
無線通信システムは、ＭＩＭＯ（Ｍｕｌｔｉｐｌｅ−Ｉｎ  Ｍｕｌｔｉｐｌｅ−Ｏｕｔ）システム、ＭＩＳＯ（Ｍｕｌｔｉｐｌｅ  Ｉｎｐｕｔ  Ｓｉｎｇｌｅ  Ｏｕｔｐｕｔ）システム、ＳＩＳＯ（ｓｉｎｇｌｅ  ｉｎｐｕｔ  ｓｉｎｇｌｅ  ｏｕｔｐｕｔ）システム、及びＳＩＭＯ（ｓｉｎｇｌｅ  ｉｎｐｕｔ  ｍｕｌｔｉｐｌｅ  ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。
【００２３】
以下、送信アンテナは、一つの信号またはストリームを送信するために使われる物理的または論理的アンテナを意味し、受信アンテナは、一つの信号またはストリームを受信するために使われる物理的または論理的アンテナを意味する。
【００２４】
図２は、３ＧＰＰ  ＬＴＥにおける無線フレーム（ｒａｄｉｏ  ｆｒａｍｅ）の構造を示す。これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。
【００２５】
図２を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００２６】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；Ｒｅｓｏｕｒｃｅ  Ｂｌｏｃｋ）は、リソース割当単位に一つのスロットで複数の連続する副搬送波を含む。前記無線フレームの構造は一例に過ぎない。従って、無線フレームに含まれるサブフレームの個数やサブフレームに含まれるスロットの個数、またはスロットに含まれるＯＦＤＭシンボルの個数は多様に変更されることができる。
【００２７】
３ＧＰＰ  ＬＴＥでは、ノーマル（ｎｏｒｍａｌ）サイクリックプレフィックス（ＣＰ；Ｃｙｃｌｉｃ  Ｐｒｅｆｉｘ）で一つのスロットは７個のＯＦＤＭシンボルを含み、拡張（ｅｘｔｅｎｄｅｄ）ＣＰで一つのスロットは６個のＯＦＤＭシンボルを含むと定義している。
【００２８】
図３は、一つのダウンリンクスロットに対するリソースグリッド（ｒｅｓｏｕｒｃｅ  ｇｒｉｄ）の一例を示す。
【００２９】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、３ＧＰＰ  ＬＴＥシステムにおけるＮＲＢは、６０〜１１０うちいずれか一つである。一つのリソースブロックは、周波数領域で複数の副搬送波を含む。アップリンクスロットの構造も前記ダウンリンクスロットの構造と同じである。
【００３０】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ、ｌ）により識別されることができる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。
【００３１】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８うち一つを選定して使用することができる。
【００３２】
図４は、ダウンリンクサブフレームの構造を示す。
【００３３】
ダウンリンクサブフレームは時間領域で２個のスロットを含み、各スロットはノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００３４】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合、及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は複数のＰＤＣＣＨをモニタリングすることができる。ＰＤＣＣＨは、一つまたは複数個の連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関連関係によってＰＤＣＣＨのフォーマット及び可能なＰＤＣＣＨのビット数が決定される。
【００３５】
基地局は、端末に送ろうとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされることができる。
【００３６】
図５は、アップリンクサブフレームの構造を示す。
【００３７】
アップリンクサブフレームは、周波数領域で制御領域とデータ領域に分けられることができる。前記制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波（ｓｉｎｇｌｅ  ｃａｒｒｉｅｒ）の特性を維持するために、端末は、ＰＵＣＣＨとＰＵＳＣＨを同時に送信しない。
【００３８】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピングされた（ｆｒｅｑｕｅｎｃｙ−ｈｏｐｐｅｄ）という。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００３９】
ＰＵＣＣＨ上に送信されるアップリンク制御情報には、ＨＡＲＱ（Ｈｙｂｒｉｄ  Ａｕｔｏｍａｔｉｃ  Ｒｅｐｅａｔ  ｒｅＱｕｅｓｔ）ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）、ダウンリンクチャネル状態を示すＣＱＩ（Ｃｈａｎｎｅｌ  Ｑｕａｌｉｔｙ  Ｉｎｄｉｃａｔｏｒ）、アップリンク無線リソース割当要求であるＳＲ（Ｓｃｈｅｄｕｌｉｎｇ  Ｒｅｑｕｅｓｔ）などがある。
【００４０】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックはユーザ情報である。または、アップリンクデータは多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）などがある。または、アップリンクデータは制御情報のみで構成されることもできる。
【００４１】
図６は、ＳＣ−ＦＤＭＡシステムにおける送信機構造の一例を示す。
【００４２】
図６を参照すると、送信機５０は、ＤＦＴ（Ｄｉｓｃｒｅｔｅ  Ｆｏｕｒｉｅｒ  Ｔｒａｎｓｆｏｒｍ）部５１、副搬送波マッパ５２、ＩＦＦＴ（Ｉｎｖｅｒｓｅ  Ｆａｓｔ  Ｆｏｕｒｉｅｒ  Ｔｒａｎｓｆｏｒｍ）部５３、及びＣＰ挿入部５４を含む。送信機５０は、スクランブルユニット（図示せず；ｓｃｒａｍｂｌｅ  ｕｎｉｔ）、モジュレイションマッパ（図示せず；ｍｏｄｕｌａｔｉｏｎ  ｍａｐｐｅｒ）、レイヤマッパ（図示せず；ｌａｙｅｒ  ｍａｐｐｅｒ）、及びレイヤパーミュテイタ（図示せず；ｌａｙｅｒ  ｐｅｒｍｕｔａｔｏｒ）を含むことができ、これはＤＦＴ部５１の以前に配置されることができる。
【００４３】
ＤＦＴ部５１は、入力されるシンボルにＤＦＴを実行して複素数シンボル（ｃｏｍｐｌｅｘ−ｖａｌｕｅｄ  ｓｙｍｂｏｌ）を出力する。例えば、Ｎｔｘシンボルが入力されると（但し、Ｎｔｘは自然数）、ＤＦＴ大きさ（ｓｉｚｅ）はＮｔｘである。ＤＦＴ部５１は、変換プリコーダ（ｔｒａｎｓｆｏｒｍ  ｐｒｅｃｏｄｅｒ）と呼ばれることができる。副搬送波マッパ５２は、前記複素数シンボルを周波数領域の各副搬送波にマッピングさせる。前記複素数シンボルは、データ送信のために割り当てられたリソースブロックに対応するリソース要素にマッピングされることができる。副搬送波マッパ５２は、リソースマッパ（ｒｅｓｏｕｒｃｅ  ｅｌｅｍｅｎｔ  ｍａｐｐｅｒ）と呼ばれることができる。ＩＦＦＴ部５３は、入力されるシンボルに対してＩＦＦＴを実行し、時間領域信号であるデータのための基本帯域（ｂａｓｅｂａｎｄ）信号を出力する。ＣＰ挿入部５４は、データのための基本帯域信号の後部の一部を複写し、データのための基本帯域信号の前部に挿入する。ＣＰ挿入を介してＩＳＩ（Ｉｎｔｅｒ−Ｓｙｍｂｏｌ  Ｉｎｔｅｒｆｅｒｅｎｃｅ）、ＩＣＩ（Ｉｎｔｅｒ−Ｃａｒｒｉｅｒ  Ｉｎｔｅｒｆｅｒｅｎｃｅ）が防止されるため多重経路チャネルでも直交性が維持されることができる。
【００４４】
図７は、副搬送波マッパが複素数シンボルを周波数領域の各副搬送波にマッピングする方式の一例を示す。図７−（ａ）を参照すると、副搬送波マッパは、ＤＦＴ部から出力された複素数シンボルを周波数領域で連続される副搬送波にマッピングする。複素数シンボルがマッピングされない副搬送波には‘０’が挿入される。これを集中型マッピング（ｌｏｃａｌｉｚｅｄ  ｍａｐｐｉｎｇ）という。３ＧＰＰ  ＬＴＥシステムでは集中型マッピング方式が使われる。図７−（ｂ）を参照すると、副搬送波マッパは、ＤＦＴ部から出力された連続される２個の複素数シンボルの間毎にＬ−１個の‘０’を挿入する（Ｌは自然数）。即ち、ＤＦＴ部から出力された複素数シンボルは、周波数領域で等間隔に分散された副搬送波にマッピングされる。これを分散型マッピング（ｄｉｓｔｒｉｂｕｔｅｄ  ｍａｐｐｉｎｇ）という。副搬送波マッパが図７−（ａ）のように集中型マッピング方式または図７−（ｂ）のように分散型マッピング方式を使用する場合、単一搬送波特性が維持される。
【００４５】
図８は、復調のための参照信号送信機の構造の一例を示す。
【００４６】
図８を参照すると、参照信号送信機６０は、副搬送波マッパ６１、ＩＦＦＴ部６２、及びＣＰ挿入部６３を含む。参照信号送信機６０は、図６の送信機５０と違って、ＤＦＴ部５１を経ずに周波数領域で生成され、副搬送波マッパ６１を介して副搬送波にマッピングされる。この時、副搬送波マッパは、図７−（ａ）の集中型マッピング方式を用いて参照信号を副搬送波にマッピングすることができる。
【００４７】
図９は、参照信号が送信されるサブフレームの構造の一例である。図９−（ａ）のサブフレームの構造はノーマルＣＰの場合を示す。サブフレームは第１のスロットと第２のスロットを含む。第１のスロットと第２のスロットの各々は７ＳＣ−ＦＤＭＡシンボルを含む。サブフレーム内の１４ＳＣ−ＦＤＭＡシンボルは０から１３までのシンボルインデックスが付けられる。シンボルインデックスが３及び１０であるＳＣ−ＦＤＭＡシンボルを介して参照信号が送信されることができる。参照信号はシーケンスを用いて送信されることができる。参照信号シーケンスとしてＺＣ（Ｚａｄｏｆｆ−Ｃｈｕ）シーケンスが使われることができ、ルートインデックス（ｒｏｏｔ  ｉｎｄｅｘ）と循環シフト（ｃｙｃｌｉｃ  ｓｈｉｆｔ）値によって多様なＺＣシーケンスが生成されることができる。基地局は、端末に互いに異なる循環シフト値を割り当て、直交（ｏｒｔｈｏｇｏｎａｌ）シーケンスまたは準直交（ｑｕａｓｉ−ｏｒｔｈｏｇｏｎａｌ）シーケンスを介して複数の端末のチャネルを推定することができる。前記サブフレーム内の２個のスロットで参照信号が占める周波数領域の位置は互いに同じであってもよく、異なってもよい。２個のスロットでは同じ参照信号シーケンスが使われる。参照信号が送信されるＳＣ−ＦＤＭＡシンボルを除いた残りのＳＣ−ＦＤＭＡシンボルを介してデータが送信されることができる。図９−（ｂ）のサブフレームの構造は拡張ＣＰの場合を示す。サブフレームは第１のスロットと第２のスロットを含む。第１のスロットと第２のスロットの各々は６ＳＣ−ＦＤＭＡシンボルを含む。サブフレーム内の１２ＳＣ−ＦＤＭＡシンボルは０から１１までのシンボルインデックスが付けられる。シンボルインデックスが２及び８であるＳＣ−ＦＤＭＡシンボルを介して参照信号が送信される。参照信号が送信されるＳＣ−ＦＤＭＡシンボルを除いた残りのＳＣ−ＦＤＭＡシンボルを介してデータが送信される。
【００４８】
図９に示していないが、サブフレーム内のＳＣ−ＦＤＭＡシンボルを介してサウンディング参照信号（ＳＲＳ；Ｓｏｕｎｄｉｎｇ  Ｒｅｆｅｒｅｎｃｅ  Ｓｉｇｎａｌ）が送信されることもできる。サウンディング参照信号は、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。
【００４９】
クラスタ化された（ｃｌｕｓｔｅｒｅｄ）ＤＦＴ−ｓ  ＯＦＤＭ送信方式は、既存のＳＣ−ＦＤＭＡ送信方式の変形であり、プリコーダを経るデータシンボルを複数のサブブロックに分け、これを周波数領域で互いに分離させてマッピングする方法である。
【００５０】
図１０は、クラスタ化されたＤＦＴ−ｓ  ＯＦＤＭ送信方式を適用した送信機の一例である。図１０を参照すると、送信機７０は、ＤＦＴ部７１、副搬送波マッパ７２、ＩＦＦＴ部７３、及びＣＰ挿入部７４を含む。送信機７０は、スクランブルユニット（図示せず）、モジュレイションマッパ（図示せず）、レイヤマッパ（図示せず）、及びレイヤパーミュテイタ（図示せず）をさらに含むことができ、これはＤＦＴ部７１の以前に配置されることができる。
【００５１】
ＤＦＴ部７１から出力される複素数シンボルは、Ｎ個のサブブロックに分けられる（Ｎは自然数）。Ｎ個のサブブロックは、サブブロック＃１、サブブロック＃２，．．．，サブブロック＃Ｎで表すことができる。副搬送波マッパ７２は、Ｎ個のサブブロックを周波数領域で分散させて副搬送波にマッピングする。連続される２個のサブブロック間毎にＮＵＬＬが挿入されることができる。一つのサブブロック内の複素数シンボルは、周波数領域で連続される副搬送波にマッピングされることができる。即ち、一つのサブブロック内では集中型マッピング方式が使われることができる。
【００５２】
図１０の送信機７０は、単一搬送波（ｓｉｎｇｌｅ  ｃａｒｒｉｅｒ）送信機または多重搬送波（ｍｕｌｔｉ−ｃａｒｒｉｅｒ）送信機の両方ともに使われることができる。単一搬送波送信機に使われる場合、Ｎ個のサブブロックの全てが一つの搬送波に対応される。多重搬送波送信機に使われる場合、Ｎ個のサブブロックのうち各々のサブブロック毎に一つの搬送波に対応されることができる。または、多重搬送波送信機に使われる場合にも、Ｎ個のサブブロックのうち複数のサブブロックは一つの搬送波に対応されることもできる。一方、図１０の送信機７０で一つのＩＦＦＴ部７３を介して時間領域信号が生成される。従って、図１０の送信機７０が多重搬送波送信機に使われるためには、連続される搬送波割当（ｃｏｎｔｉｇｕｏｕｓ  ｃａｒｒｉｅｒ  ａｌｌｏｃａｔｉｏｎ）状況で隣接した搬送波間副搬送波間隔が整列（ａｌｉｇｎｍｅｎｔ）されなければならない。
【００５３】
図１１は、クラスタ化されたＤＦＴ−ｓ  ＯＦＤＭ送信方式を適用した送信機の他の例である。図１１を参照すると、送信機８０は、ＤＦＴ部８１、副搬送波マッパ８２、複数のＩＦＦＴ部８３−１，８３−２，．．．，８３−Ｎ（Ｎは自然数）、及びＣＰ挿入部８４を含む。送信機８０は、スクランブルユニット（図示せず）、モジュレイションマッパ（図示せず）、レイヤマッパ（図示せず）、及びレイヤパーミュテイタ（図示せず）をさらに含むことができ、これはＤＦＴ部８１の以前に配置されることができる。
【００５４】
Ｎ個のサブブロックのうち各々のサブブロックに対して個別的にＩＦＦＴが実行される。第ｎのＩＦＦＴ部（８３−ｎ）は、サブブロック＃ｎにＩＦＦＴを実行し、第ｎの基本帯域信号を出力する（ｎ＝１，２，．．．，Ｎ）。第ｎの基本帯域信号と第ｎの搬送波信号をかけると、第ｎの無線信号が生成される。Ｎ個のサブブロックから生成されたＮ個の無線信号は加えられた後、ＣＰ挿入部８４によりＣＰが挿入される。図１１の送信機８０は、送信機が割当を受けた搬送波が隣接しない非連続される搬送波割当（ｎｏｎ−ｃｏｎｔｉｇｕｏｕｓ  ｃａｒｒｉｅｒａｌ  ｌｏｃａｔｉｏｎ）状況で使われることができる。
【００５５】
図１２は、クラスタ化されたＤＦＴ−ｓ  ＯＦＤＭ送信方式を適用した送信機の他の例である。図１２は、チャンク（ｃｈｕｎｋ）単位にＤＦＴプリコーディングを実行するチャンク特定ＤＦＴ−ｓ  ＯＦＤＭシステムである。これはＮｘ  ＳＣ−ＦＤＭＡと呼ばれることができる。図１２を参照すると、送信機９０は、コードブロック分割部９１、チャンク（ｃｈｕｎｋ）分割部９２、複数のチャネルコーディング部９３−１，．．．，９３−Ｎ、複数の変調器９４−１，．．．，９４−Ｎ、複数のＤＦＴ部９５−１，．．．，９５−Ｎ、複数の副搬送波マッパ９６−１，．．．，９６−Ｎ、複数のＩＦＦＴ部９７−１，．．．，９７−Ｎ、及びＣＰ挿入部９８を含む。ここで、Ｎは、多重搬送波送信機が使用する多重搬送波の個数である。チャネルコーディング部９３−１，．．．，９３−Ｎの各々は、スクランブルユニット（図示せず）を含むことができる。変調器９４−１，．．．，９４−Ｎは、モジュレイションマッパと呼ばれることもある。送信機９０は、レイヤマッパ（図示せず）及びレイヤパーミュテイタ（図示せず）をさらに含むことができ、これはＤＦＴ部９５−１，．．．，９５−Ｎの以前に配置されることができる。
【００５６】
コードブロック分割部９１は、トランスポートブロックを複数のコードブロックに分割する。チャンク分割部９２は、コードブロックを複数のチャンクに分割する。ここで、コードブロックは、多重搬送波送信機から送信されるデータを意味し、チャンクは、多重搬送波のうち一つの搬送波を介して送信されるデータ断片を意味する。送信機９０は、チャンク単位にＤＦＴを実行する。送信機９０は、非連続される搬送波割当状況または連続される搬送波割当状況で使われることができる。
【００５７】
以下、アップリンク参照信号に対して説明する。
【００５８】
参照信号は、一般的にシーケンスに送信される。参照信号シーケンスは、特別な制限無しに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。または、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を用いることができる。
【００５９】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）に区分されることができる。ＤＭＲＳは、受信された信号の復調のためのチャネル推定に使われる参照信号である。ＤＭＲＳは、ＰＵＳＣＨまたはＰＵＣＣＨの送信と結合されることができる。ＳＲＳは、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。ＳＲＳは、ＰＵＳＣＨまたはＰＵＣＣＨの送信と結合されない。ＤＭＲＳとＳＲＳのために同じ種類の基本シーケンスが使われることができる。一方、アップリンク多重アンテナ送信でＤＭＲＳに適用されたプリコーディングは、ＰＵＳＣＨに適用されたプリコーディングと同じである。循環シフト分離（ｃｙｃｌｉｃ  ｓｈｉｆｔ  ｓｅｐａｒａｔｉｏｎ）は、ＤＭＲＳを多重化する基本技法（ｐｒｉｍａｒｙ  ｓｃｈｅｍｅ）である。３ＧＰＰ  ＬＴＥ−ＡシステムにおけるＳＲＳは、プリコーディングされなくてもよく、アンテナ特定された参照信号であってもよい。
【００６０】
参照信号シーケンスｒｕ，ｖ（α）（ｎ）は、数式２により基本シーケンスｂｕ，ｖ（α）と循環シフトαに基づいて定義されることができる。
【００６１】
【数２】
0005518198.tif 000008
【００６２】
数式２で、ＭｓｃＲＳ（１≦ｍ≦ＮＲＢｍａｘ，ＵＬ）は参照信号シーケンスの長さであり、ＭｓｃＲＳ＝ｍ＊ＮｓｃＲＢである。ＮｓｃＲＢは、周波数領域で副搬送波の個数で表すリソースブロックの大きさを示し、ＮＲＢｍａｘ，ＵＬは、ＮｓｃＲＢの倍数で表すアップリンク帯域幅の最大値を示す。複数の参照信号シーケンスは、一つの基本シーケンスから循環シフト値であるαを異なるように適用して定義されることができる。
【００６３】
基本シーケンスｂｕ，ｖ（ｎ）は複数のグループに分けられ、この時、ｕ∈｛０，１，．．．，２９｝はグループインデックスを示し、ｖはグループ内で基本シーケンスインデックスを示す。基本シーケンスは基本シーケンスの長さ（ＭｓｃＲＳ）に依存する。各グループは、１≦ｍ≦５であるｍに対して長さがＭｓｃＲＳである一つの基本シーケンス（ｖ＝０）を含み、６≦ｍ≦ｎＲＢｍａｘ，ＵＬであるｍに対しては長さがＭｓｃＲＳである２個の基本シーケンス（ｖ＝０，１）を含む。シーケンスグループインデックスｕとグループ内の基本シーケンスインデックスｖは、後述するグループホッピング（ｇｒｏｕｐ  ｈｏｐｐｉｎｇ）またはシーケンスホッピング（ｓｅｑｕｅｎｃｅ  ｈｏｐｐｉｎｇ）のように時間によって変わることができる。
【００６４】
また、参照信号シーケンスの長さが３ＮｓｃＲＢまたはその以上である場合、基本シーケンスは、数式３により定義されることができる。
【００６５】
【数３】
0005518198.tif 000009
【００６６】
数式３で、ｑはＺＣ（Ｚａｄｏｆｆ−Ｃｈｕ）シーケンスのルートインデックス（ｒｏｏｔ  ｉｎｄｅｘ）を示す。ＮＺＣＲＳはＺＣシーケンスの長さであり、ＭｓｃＲＳより小さい最大素数（ｐｒｉｍｅ  ｎｕｍｂｅｒ）として与えられることができる。ルートインデックスｑであるＺＣシーケンスは、数式４により定義されることができる。
【００６７】
【数４】
0005518198.tif 000010
【００６８】
ｑは、数式５により与えられることができる。
【００６９】
【数５】
0005518198.tif 000011
【００７０】
参照信号シーケンスの長さが３ＮｓｃＲＢ以下である場合、基本シーケンスは、数式６により定義されることができる。
【００７１】
【数６】
0005518198.tif 000012
【００７２】
表１は、ＭｓｃＲＳ＝ＮｓｃＲＢの時、φ（ｎ）を定義した例示である。
【００７３】
【表１】
0005518198.tif 000013
【００７４】
表２は、ＭｓｃＲＳ＝２＊ＮｓｃＲＢの時、φ（ｎ）を定義した例示である。
【００７５】
【表２】
0005518198.tif 000014
【００７６】
参照信号のホッピングは、次のように適用されることができる。
【００７７】
スロットインデックスｎｓのシーケンスグループインデックスｕは、数式７によりグループホッピングパターンｆｇｈ（ｎｓ）とシーケンスシフトパターンｆｓｓに基づいて定義されることができる。
【００７８】
【数７】
0005518198.tif 000015
【００７９】
１７個の互いに異なるグループホッピングパターンと３０個の互いに異なるシーケンスシフトパターンが存在することができる。グループホッピングの適用可否は、上位階層により指示されることができる。
【００８０】
ＰＵＣＣＨとＰＵＳＣＨは、同じグループホッピングパターンを有することができる。グループホッピングパターンｆｇｈ（ｎｓ）は、数式８により定義されることができる。
【００８１】
【数８】
0005518198.tif 000016
【００８２】
数式８で、ｃ（ｉ）は、ＰＮシーケンスである疑似任意シーケンス（ｐｓｅｕｄｏ−ｒａｎｄｏｍ  ｓｅｑｕｅｎｃｅ）であり、長さ−３１のゴールド（Ｇｏｌｄ）シーケンスにより定義されることができる。数式９は、ゴールドシーケンスｃ（ｎ）の一例を示す。
【００８３】
【数９】
0005518198.tif 000017
【００８４】
ここで、Ｎｃ＝１６００であり、ｘ１（ｉ）は第１のｍ−シーケンスであり、ｘ２（ｉ）は第２のｍ−シーケンスである。例えば、第１のｍ−シーケンスまたは第２のｍ−シーケンスは、ＳＣ−ＦＤＭＡシンボル毎にセルＩＤ、一つの無線フレーム内のスロット番号、スロット内のＳＣ−ＦＤＭＡシンボルインデックス、ＣＰの種類などによって初期化（ｉｎｉｔｉａｌｉｚａｔｉｏｎ）されることができる。疑似任意シーケンス生成器は、各無線フレームのはじめで
【化６】
0005518198.tif 000018
として初期化されることができる。
【００８５】
ＰＵＣＣＨとＰＵＳＣＨは、同じシーケンスシフトパターンを有することができる。ＰＵＣＣＨのシーケンスシフトパターンｆｓｓＰＵＣＣＨ＝ＮＩＤｃｅｌｌｍｏｄ３０として与えられることができる。ＰＵＳＣＨのシーケンスシフトパターンｆｓｓＰＵＳＣＨ＝（ｆｓｓＰＵＣＣＨ＋Δｓｓ）ｍｏｄ３０として与えられることができ、Δｓｓ∈｛０，１，．．．，２９｝は上位階層により構成されることができる。
【００８６】
シーケンスホッピングは、長さが６ＮｓｃＲＢより長い参照信号シーケンスにのみ適用されることができる。この時、スロットインデックスｎｓの基本シーケンスグループ内の基本シーケンスインデックスｖは、数式１０により定義されることができる。
【００８７】
【数１０】
0005518198.tif 000019
【００８８】
ｃ（ｉ）は、数式９の例示により表現されることができ、シーケンスホッピングの適用可否は、上位階層により指示されることができる。疑似任意シーケンス生成器は、各無線フレームのはじめで
【化７】
0005518198.tif 000020
として初期化されることができる。
【００８９】
ＰＵＳＣＨのためのＤＭＲＳシーケンスは、数式１１により定義されることができる。
【００９０】
【数１１】
0005518198.tif 000021
【００９１】
数式１１で、ｍ＝０，１，…であり、ｎ＝０，．．．，ＭｓｃＲＳ−１である。ＭｓｃＲＳ＝ＭｓｃＰＵＳＣＨである。
【００９２】
スロット内で循環シフト値であるα＝２πｎｃｓ／１２として与えられ、ｎｃｓは、数式１２により定義されることができる。
【００９３】
【数１２】
0005518198.tif 000022
【００９４】
数式１２で、ｎＤＭＲＳ（１）は、上位階層で送信されるパラメータにより指示され、表３は、前記パラメータとｎＤＭＲＳ（１）の対応関係の例示を示す。
【００９５】
【表３】
0005518198.tif 000023
【００９６】
また、数式１２で、ｎＤＭＲＳ（２）は、ＰＵＳＣＨ送信に対応されるトランスポートブロックのためのＤＣＩフォーマット０内の循環シフトフィールド（ｃｙｃｌｉｃ  ｓｈｉｆｔ  ｆｉｅｌｄ）により定義されることができる。ＤＣＩフォーマットは、ＰＤＣＣＨで送信される。前記循環シフトフィールドは、３ビットの長さを有することができる。
【００９７】
表４は、前記循環シフトフィールドとｎＤＭＲＳ（２）の対応関係の一例である。
【００９８】
【表４】
0005518198.tif 000024
【００９９】
同じトランスポートブロックでＤＣＩフォーマット０を含むＰＤＣＣＨが送信されない場合、同じトランスポートブロックで最初のＰＵＳＣＨが半永久的（ｓｅｍｉ−ｐｅｒｓｉｓｔｅｎｔｌｙ）にスケジューリングされた場合、または同じトランスポートブロックで最初のＰＵＳＣＨが任意接続応答グラント（ｒａｎｄｏｍ  ａｃｃｅｓｓ  ｒｅｓｐｏｎｓｅ  ｇｒａｎｔ）によりスケジューリングされた場合にｎＤＭＲＳ（２）は０である。
【０１００】
ｎＰＲＳ（ｎｓ）は、数式１３により定義されることができる。
【０１０１】
【数１３】
0005518198.tif 000025
【０１０２】
ｃ（ｉ）は、数式９の例示により表現されることができ、ｃ（ｉ）のセル別に（ｃｅｌｌ−ｓｐｅｃｆｉｃ）適用されることができる。疑似任意シーケンス生成器は、各無線フレームのはじめで
【化８】
0005518198.tif 000026
として初期化されることができる。
【０１０３】
ＤＭＲＳシーケンスｒＰＵＳＣＨは、振幅スケーリング因子（ａｍｐｌｉｔｕｄｅ  ｓｃａｌｉｎｇ  ｆａｃｔｏｒ）βＰＵＳＣＨとかけられ、該当するＰＵＳＣＨ送信に使われる物理トランスポートブロックにｒＰＵＳＣＨ（０）から始めてシーケンスでマッピングされる。前記ＤＭＲＳシーケンスは、一つのスロット内でノーマルＣＰである場合、４番目のＳＣ−ＦＤＭＡシンボル（ＳＣ−ＦＤＭＡシンボルインデックス３）、拡張ＣＰである場合、３番目のＳＣ−ＦＤＭＡシンボル（ＳＣ−ＦＤＭＡシンボルインデックス２）にマッピングされる。
【０１０４】
ＳＲＳシーケンスｒＳＲＳ（ｎ）＝ｒｕ，ｖ（α）（ｎ）で定義される。ｕはＰＵＣＣＨシーケンスグループインデックス、ｖは基本シーケンスインデックスを示す。循環シフト値αは数式１４により定義される。
【０１０５】
【数１４】
0005518198.tif 000027
【０１０６】
ｎＳＲＳｃｓは、各端末に対して上位階層により構成される値であり、０から７までの整数のうちいずれか一つである。
【０１０７】
一方、参照信号シーケンスにＯＣＣ（Ｏｒｔｈｏｇｏｎａｌ  Ｃｏｄｅ  Ｃｏｖｅｒ）が適用されることができる。ＯＣＣは、互いに直交性（ｏｒｔｈｇｏｎａｌｉｔｙ）を有し、且つシーケンスに適用されることができるコードを意味する。一般的に複数のチャネルを区分するために互いに異なるシーケンスが使用されることができるが、ＯＣＣを用いて複数のチャネルを区分することができる。
【０１０８】
ＯＣＣは、次のような用途に使われることができる。
【０１０９】
１）アップリンク参照信号に割り当てられる無線リソースの量を増やすためにＯＣＣが適用されることができる。
【０１１０】
例えば、第１のスロットと第２のスロットで送信される参照信号の循環シフト値がａに割り当てられる時、第２のスロットで送信される参照信号に（−）符号を割り当てることができる。即ち、第１のユーザは、第２のスロットで循環シフト値がａであり、且つ符号が（＋）である参照信号を送信し、第２のユーザは、第２のスロットで循環シフト値がａであり、且つ符号が（−）である参照信号を送信することができる。基地局は、第１のスロットで送信される参照信号と第２のスロットで送信される参照信号を加えることによって、第１のユーザのチャネルを推定することができる。また、基地局は、第１のスロットで送信される参照信号から第２のスロットで送信される参照信号を引くことによって、第２のユーザのチャネルを推定することができる。即ち、ＯＣＣを適用することによって、基地局は、第１のユーザが送信する参照信号と第２のユーザが送信する参照信号を区分することができる。これによって、少なくとも２名のユーザが、同じ参照信号シーケンスを使用する一方、互いに異なるＯＣＣを使用することによって、使用することができる無線リソースの量を２倍に増やすことができる。
【０１１１】
ＯＣＣを適用したアップリンク参照信号を送信する時、適用されるＯＣＣを指示するフィールドをダウンリンク制御信号内に割り当てることができる。例えば、ダウンリンク制御信号内にＯＣＣ指示子（ｉｎｄｉｃａｔｏｒ）フィールドが１ビット長さに割り当てられると仮定する時、前記ＯＣＣ指示子は、表５のように示すことができる。
【０１１２】
【表５】
0005518198.tif 000028
【０１１３】
表５を参照すると、ＯＣＣ指示子の値が０の場合、第２のスロットで送信される参照信号に（＋）符号を適用し、ＯＣＣ指示子の値が１の場合、第２のスロットで送信される参照信号に（−）符号を適用する。
【０１１４】
２）単一ユーザの多重アンテナまたは多重レイヤに割り当てられる循環シフト値の間隔を増やすためにＯＣＣが適用されることができる。以下、多重レイヤに割り当てられる循環シフト値を説明するが、多重アンテナに割り当てられる循環シフト値にも適用されることができる。
【０１１５】
アップリンク参照信号は、循環シフト値に基づいてチャネルを区分する。多重アンテナシステムでは複数のレイヤを区分するために各レイヤに対する参照信号に互いに異なる循環シフト値を割り当てることができる。レイヤの個数が増加するほど割り当てるべき循環シフト値も増加しなければならず、これによって循環シフト値間の間隔は減るようになる。従って、複数のチャネルの区分が難しくなるためチャネル推定性能が減少するようになる。これを克服するためにＯＣＣを各レイヤに適用することができる。例えば、４個のアンテナに対して各レイヤに対する参照信号の循環シフトオフセットが０、６、３、及び９に各々割り当てられると仮定する。各レイヤに対する参照信号間の循環シフト値の間隔は３である。この時、第３のレイヤと第４のレイヤに（−）符号のＯＣＣを適用し、各レイヤの参照信号間の循環シフト値の間隔を６に増やすことができる。即ち、第１のレイヤ乃至第４のレイヤの第１のスロットに適用される長さＮの参照信号シーケンスを各々（Ｓ０１，．．．，Ｓ０Ｎ）、（Ｓ６１，．．．，Ｓ６Ｎ）、（Ｓ３１，．．．，Ｓ３Ｎ）、（Ｓ９１，．．．，Ｓ９Ｎ）とする時、第１のレイヤ乃至第４のレイヤの第２のスロットに適用される参照信号シーケンスは、各々、（Ｓ０１，．．．，Ｓ０Ｎ）、（Ｓ６１，．．．，Ｓ６Ｎ）、（−Ｓ３１，．．．，−Ｓ３Ｎ）、（−Ｓ９１，．．．，−Ｓ９Ｎ）になる。２つのスロットの参照信号シーケンスを加えると、第１のレイヤと第２のレイヤの参照信号のみが残るようになって循環シフト値の間隔が６になり、同様に、２つのスロットの参照信号シーケンスを引くと、第３のレイヤと第４のレイヤの参照信号のみが残るようになってやはり循環シフト値の間隔が６になる。これによってチャネル推定の性能が増加することができる。
【０１１６】
同様に、３個のレイヤに対して各レイヤに対する参照信号の循環シフトオフセットが０、６、及び３に各々割り当てられると仮定する。各レイヤに対する参照信号間の循環シフト値の間隔は３である。この時、第３のレイヤに（−）符号のＯＣＣを適用し、各レイヤの参照信号間の循環シフト値の間隔を６に増やすことができる。即ち、第１のレイヤ乃至第３のレイヤの第１のスロットに適用される長さＮの参照信号シーケンスを各々（Ｓ０１，．．．，Ｓ０Ｎ）、（Ｓ６１，．．．，Ｓ６Ｎ）、（Ｓ３１，．．．，Ｓ３Ｎ）とする時、第１のレイヤ乃至第３のレイヤの第２のスロットに適用される参照信号シーケンスは、各々、（Ｓ０１，．．．，Ｓ０Ｎ）、（Ｓ６１，．．．，Ｓ６Ｎ）、（−Ｓ３１，．．．，−Ｓ３Ｎ）になる。２つスロットの参照信号シーケンスを加えると、第１のレイヤと第２のレイヤの参照信号のみが残るようになって循環シフト値の間隔が６になり、同様に、２つスロットの参照信号シーケンスを引くと、第３のレイヤの参照信号のみが残るようになる。これによってチャネル推定の性能が増加することができる。
【０１１７】
３）単一ユーザに割り当てられる循環シフト値の間隔を増やすためにＯＣＣが適用されることができる。
【０１１８】
多重アンテナを有する多数のユーザを含む多重ユーザＭＩＭＯ（ＭＵ−ＭＩＭＯ）システムで循環シフト値にＯＣＣを適用することができる。例えば、ＭＩＭＯ送信を実行する単一ユーザの観点では、複数のアンテナまたは複数のレイヤを区分するために各アンテナまたは各レイヤ間に間隔が遠い循環シフト値を割り当てることができるが、多重ユーザの観点では、各ユーザ間の循環シフト間隔は狭くなることができる。これを克服するために、ＯＣＣが適用されることができる。ＯＣＣが適用される時、ＯＣＣのタイプによって多重ユーザ間に同じ循環シフト値が適用されることができる。
【０１１９】
表６は、４個のアンテナまたは４個のレイヤが存在する時、ＯＣＣが適用される一例である。
【０１２０】
【表６】
0005518198.tif 000029
【０１２１】
表６で、（ａ，ｂ）は（第１のスロット，第２のスロット）または（第２のスロット，第１のスロット）に適用されるＯＣＣを示す。ＯＣＣが適用されるタイプを指示する１ビットのＯＣＣタイプフィールドが循環シフト値を指示するダウンリンク制御信号に追加されることができる。
【０１２２】
表７は、ＯＣＣタイプフィールドの一例である。
【０１２３】
【表７】
0005518198.tif 000030
【０１２４】
表７で、ＯＣＣタイプフィールドの値が０の場合、表６のタイプＡ（またはタイプＢ）のＯＣＣを適用し、ＯＣＣタイプフィールドの値が１の場合、表６のタイプＢ（またはタイプＡ）のＯＣＣを適用することができる。
【０１２５】
表６のタイプ１−Ｂを参照すると、任意のいずれの一つのスロットで送信される全てのレイヤまたはアンテナの参照信号に（−）符号が適用される。このようにＯＣＣが適用される場合、一ユーザに対してはＯＣＣが適用され、他のユーザに対してはＯＣＣが適用されない。ＯＣＣはリソースとして活用されることもでき、多重ユーザ間の循環シフト値の間隔を増やすために使われることもできる。
【０１２６】
表６のタイプ２−Ａを参照すると、任意のいずれの一つのスロットで送信される一部レイヤまたはアンテナの参照信号に（−）符号が適用される。タイプ２−Ａでは、第３のレイヤ（またはアンテナ）及び第４のレイヤ（またはアンテナ）の参照信号に（−）符号が適用される。ＯＣＣはリソースとして活用されることもでき、多重ユーザ間の循環シフト値の間隔を増やすために使われることもできる。
【０１２７】
表８は、表６のタイプ２のＯＣＣが２であるのユーザに適用された一例である。
【０１２８】
【表８】
0005518198.tif 000031
【０１２９】
第１のユーザは４個のレイヤに対して参照信号を送信し、第２のユーザは２個のレイヤに対して参照信号を送信する。第１のユーザと第２のユーザに対して両方ともに表６のタイプ２−ＡのＯＣＣが適用される。これによって、第１のユーザの第３のレイヤ及び第４のレイヤの参照信号に（−）符号が適用され、第２のユーザの第１のレイヤ及び第２のレイヤの参照信号には（−）符号が適用されない。
【０１３０】
表６のタイプ３−Ａを参照すると、任意のいずれの一つのスロットで送信される一部レイヤまたはアンテナの参照信号に（−）符号が適用される。タイプ３−Ａでは、第２のレイヤ（またはアンテナ）及び第４のレイヤ（またはアンテナ）の参照信号に（−）符号が適用される。ＯＣＣはリソースとして活用されることもでき、多重ユーザ間の循環シフト値の間隔を増やすために使われることもできる。
【０１３１】
表６のタイプ４−Ａを参照すると、任意のいずれの一つのスロットで送信される一部レイヤまたはアンテナの参照信号に（−）符号が適用される。タイプ４−Ａでは、第２のレイヤ（またはアンテナ）及び第３のレイヤ（またはアンテナ）の参照信号に（−）符号が適用される。ＯＣＣはリソースとして活用されることもでき、多重ユーザ間の循環シフト値の間隔を増やすために使われることもできる。
【０１３２】
以下、提案された参照信号送信方法を説明する。提案された参照信号送信方法によって複数のレイヤまたは複数のアンテナの参照信号に対する循環シフト値が多様に割り当てられることができる。以下の説明で循環シフト値が複数のレイヤの参照信号に割り当てられる場合を説明するが、本発明はこれに制限されず、循環シフト値が複数のアンテナの参照信号に割り当てられる場合にも適用されることができる。
【０１３３】
まず、ＯＣＣを考慮せずに循環シフト値がセットを構成して複数のレイヤの参照信号に割り当てられることができる。
【０１３４】
単一ユーザＭＩＭＯ（ＳＵ−ＭＩＭＯ）システムを考慮して循環シフト値が割り当てられることができる。３ＧＰＰ  ＬＴＥ  ｒｅｌ−８のアップリンク参照信号送信に使われる参照信号シーケンスの特性上、割り当てられる循環シフト値に対応される値ほど時間領域でシフトが発生する。例えば、ＦＦＴ大きさが５１２である場合、１ほどの循環シフト値の間隔は時間領域で４３サンプル（ｓａｍｐｌｅ）ほどの間隔を有する。一方、チャネルインパルス応答（ｃｈａｎｎｅｌ  ｉｍｐｕｌｓｅ  ｒｅｓｐｏｎｓｅ）は、一般的にＣＰ区間内に存在するようになり、ＣＰ区間に存在するチャネルインパルス応答を受信した後、周波数領域の信号に置換し、推定されたチャネルを獲得することができる。多重アンテナ送信の場合、各アンテナから受信される信号は、ほぼ類似の程度の遅延時間（ｄｅｌａｙ）を有するようになり、チャネルインパルス応答は、ＣＰ区間内に存在したり、或いはＣＰ区間をすこし外れることができる。従って、ＳＵ−ＭＩＭＯ環境で１〜２以上の間隔を有する循環シフト値を各レイヤに割り当てることによって、各アンテナから送信される信号が経験するチャネルインパルス応答をアンテナ間の干渉無しに十分に獲得することができる。従って、ＳＵ−ＭＩＭＯで各レイヤ間の循環シフト値の最小間隔は１以上が好ましい。
【０１３５】
循環シフト値の集合は多様に構成されることができる。例えば、循環シフト値の集合は、３ＧＰＰ  ＬＴＥ  ｒｅｌ−８で定義している８個の循環シフト値の集合である｛０，２，３，４，６，８，９，１０｝である。ノーマルＣＰまたは拡張ＣＰで、前記集合内で循環シフト値を選択することができる。また、前記集合の副集合（ｓｕｂｓｅｔ）を使用することもできる。例えば、｛０，３，６，９｝で構成された副集合から循環シフト値を選択することができる。チャネルの遅延拡散（ｄｅｌａｙ  ｓｐｒｅａｄ）が長いチャネルの場合、循環シフト値の間隔が大きい循環シフト値で構成された副集合を使用することができる。
【０１３６】
他の例に、循環シフト値の集合は、１２個の循環シフト値の集合である｛０，１，２，３、４，５，６，７，８，９，１０，１１｝である。また、前記集合の副集合（ｓｕｂｓｅｔ）を使用することもできる。
【０１３７】
なお、他の例に、循環シフト値の８個の循環シフト値の集合である｛０，４，８，２，６，１０，３，９｝である。これは３ＧＰＰ  ＬＴＥ  ｒｅｌ−８で定義される循環シフト値から循環シフト値の間隔が４ずつなるように選択し、循環シフト値が１２より大きくなる場合、モジュロ（ｍｏｄｕｌｏ）演算を実行して循環シフト値を選択する。既に選択された値がある場合、選択された値と最も近い値を選択することができる。１２個の循環シフト値の集合である場合、｛０，４，８，１，５，９，２，６，１０｝になることができる。
【０１３８】
前記のような方法により決定された循環シフト集合は、ＰＤＣＣＨを介して送信されるＤＣＩフォーマットに割り当てられる循環シフト指示子（ｃｙｃｌｉｃ  ｓｈｉｆｔ  ｉｎｄｉｃａｔｏｒ）を介して指示されることができる。循環シフト指示子の長さは３ビットである。前記循環シフト指示子により指示された循環シフト値を循環シフト集合の開始点とし、レイヤの個数ほど循環シフトオフセットの割当を受けることができる。即ち、前記循環シフト集合の開始点と各レイヤに割り当てられた循環シフトオフセットに基づいて各レイヤの循環シフト値が決定されることができる。循環シフトオフセットの割当順序は順次的であってもよく、予め決まった規則による順序であってもよい。予め決まった規則は、任意の数列であってもよく、オフセットに基づく順序であってもよい。前記循環シフト指示子により指示される循環シフト集合の開始点は、各レイヤに割り当てられる循環シフト値のうちいずれか一つであってもよく、各レイヤに割り当てられる循環シフトオフセットのうちいずれか一つであってもよい。または、ｎＤＭＲＳ（２）と同じ値である。例えば、循環シフト集合が｛０，２，３，４，６，８，９，１０｝であり、循環シフト指示子は０、レイヤの個数は２個である時、循環シフト集合で循環シフト値０から始めて、循環シフト値０と２がアップリンク参照信号シーケンスの循環シフト値として選択されることができる。または、循環シフト集合が｛０，２，３，４，６，８，９，１０｝であり、循環シフト指示子は０、レイヤの個数は３個であり、第１のレイヤ乃至第３のレイヤに割り当てられる循環シフトオフセットの値が各々｛０，６，３｝の時、第１のレイヤ乃至第３のレイヤに割り当てられる循環シフト値は各々｛０，６，３｝である。
【０１３９】
循環シフト指示子外に選択オフセット（ｓｅｌｅｃｔｉｏｎ  ｏｆｆｓｅｔ）が追加にＤＣＩフォーマット内に割り当てられることができる。循環シフト指示子により指示された循環シフト値から始めて、選択オフセットにより指示された値ほど間隔を有しつつ、複数のレイヤに対する参照信号シーケンスの循環シフト値が割り当てられることができる。選択オフセットの長さは１ビットまたは２ビットである。選択オフセットの長さが１ビットである時、選択オフセットは｛１，２｝、｛１，３｝、｛１，４｝のうちいずれか一つである。選択オフセットの長さが２ビットである時、選択オフセットは｛１，２，３，４｝のうちいずれか一つである。例えば、循環シフト指示子が３ビット、選択オフセットが１ビットであり、循環シフト集合が｛０，２，３，４，６，８，９，１０｝で構成され、第１のユーザは循環シフト指示子と選択オフセットが各々‘０００’及び‘０’であり、第２のユーザは循環シフト指示子と選択オフセットが各々‘１０１’及び‘１’である場合、第１のユーザの各レイヤの参照信号の循環シフト値は｛０，２｝であり、第２のユーザの各レイヤの参照信号の循環シフト値は｛８，１０｝である。
【０１４０】
一方、レイヤの個数が３個である時、ＤＣＩフォーマットから２個の循環シフト指示子の割当を受けて２個のレイヤの参照信号の循環シフト値として使用し、残りの１個のレイヤの参照信号の循環シフト値は、ＰＤＣＣＨにより指示された前記２個の循環シフト指示子うちいずれか一つに基づいて割り当てられることができる。この時、残りの１個のレイヤの参照信号の循環シフト値は、選択オフセットに基づいて追加的なシグナリング無しに暗黙的に決定されることができる。または、前記２個の循環シフト指示子うちいずれか一つに基づいて残りのレイヤの参照信号の循環シフト値を割り当てることもできる。
【０１４１】
これはレイヤの個数が４個である時にも同様である。ＤＣＩフォーマットから２個の循環シフト指示子の割当を受けて２個のレイヤの参照信号の循環シフト値として使用し、残りの２個のレイヤの参照信号の循環シフト値は、前記２個の循環シフト指示子に基づいて割り当てられることができる。例えば、第３のレイヤの参照信号の循環シフト値は第１のレイヤの参照信号の循環シフト値に基づき、第４のレイヤの参照信号の循環シフト値は第２のレイヤの参照信号の循環シフト値に基づく。残りの２個のレイヤの参照信号の循環シフト値は、選択オフセットに基づいて追加的なシグナリング無しに暗黙的に決定されることができる。
【０１４２】
以上、複数のレイヤを考慮してアップリンクＤＭＲＳの循環シフト値の割当に対して説明したが、本発明はこれに限定されずに、アップリンクサウンディング参照信号にも適用されることができる。この時、ＤＭＲＳのために割り当てられた循環シフト指示子、循環シフト集合などを異なるようにしてアップリンクサウンディング参照信号に特定されるように本発明が適用されることができる。また、ＤＭＲＳのための循環シフト指示子または循環シフト値をそのままサウンディング参照信号に適用してシグナリングオーバーヘッドが発生しないようにすることもできる。
【０１４３】
以下、循環シフト値を指示する循環シフトインデックスとＯＣＣを指示するＯＣＣインデックスを結合し、各レイヤの参照信号シーケンスの循環シフト値を割り当てる方法を説明する。この時、各レイヤ間の参照信号の循環シフト値の間隔が最大になるように循環シフト値が設定されることができる。または、ＯＣＣインデックスを別にシグナリングせずに循環シフト指示子を用いて各レイヤの参照信号の循環シフト値が設定されることができる。以下の説明で循環シフトインデックスとＯＣＣインデックスを表で説明する。また、以下の説明は、レイヤの個数が４個である場合を仮定するが、レイヤの個数がその以下の時には該当表で提案される循環シフト値のうち一部レイヤに対する循環シフト値のみを使用するのが可能である。
【０１４４】
まず、第１のレイヤと第２のレイヤとの間の参照信号の循環シフト値の間隔と、第３のレイヤと第４のレイヤとの間の参照信号の循環シフト値の間隔とが、最大になるように循環シフト値を割り当てることができる。適用されたＯＣＣにより第１のレイヤ及び第２のレイヤの参照信号のみが残ってチャネルが推定されることができ、反対に、第３のレイヤ及び第４のレイヤの参照信号のみが残ってチャネルが推定されることができる。
【０１４５】
表９は、提案された発明による循環シフトインデックスとＯＣＣインデックスがマッピングされた表の一例である。
【０１４６】
【表９】
0005518198.tif 000032
【０１４７】
表９により循環シフトインデックスｉとＯＣＣインデックスがマッピングされる。循環シフトインデックスにより指示されるＤＣＩフォーマット０が循環シフトフィールドとこれにマッピングされるｎＤＭＲＳ（２）がＯＣＣインデックスとマッピングされる。即ち、該当ｎＤＭＲＳ（２）の値に対して常に同じＯＣＣインデックスが適用される。例えば、ｎＤＭＲＳ（２）＝０の場合、ＯＣＣインデックスは常に０であり、ｎＤＭＲＳ（２）＝３の場合、ＯＣＣインデックスは常に１である。この時、ＯＣＣインデックスが０であるというのは、第１のスロットと第２のスロットに適用されるＯＣＣが［１  １］であることを意味し、ＯＣＣインデックスが１であるというのは、第１のスロットと第２のスロットに適用されるＯＣＣが［１  −１］であることを意味する。または、これと反対に適用されることもできる。
【０１４８】
表１０は、表９によって適用された各レイヤの参照信号の循環シフト値である。
【０１４９】
【表１０】
0005518198.tif 000033
【０１５０】
表１０で、（−）符号は、ＯＣＣインデックス１が適用され、第２のスロットで送信される参照信号に（−）符号が適用されることを意味する。表１０によって、第１のレイヤと第２のレイヤの参照信号の循環シフト値が最大間隔を維持し、同様に、第３のレイヤと第４のレイヤの参照信号の循環シフト値も最大間隔を維持する。レイヤの個数が２個または３個である時は、表１０の循環シフト値のうち一部のみを使用することができる。
【０１５１】
または、ｒａｎｋ−２送信では、干渉を最大限に減らすように各レイヤの参照信号の循環シフト値が割り当てられることができる。ｒａｎｋ−４送信では、各レイヤの参照信号の循環シフト値の間隔が最大にならないが、適用されたＯＣＣにより第１のレイヤ及び第３のレイヤの参照信号のみが残ってチャネルが推定されることができ、反対に、第２のレイヤ及び第４のレイヤの参照信号のみが残ってチャネルが推定されることができる。
【０１５２】
表１１は、提案された発明による循環シフトインデックスとＯＣＣインデックスがマッピングされた表の一例である。
【０１５３】
【表１１】
0005518198.tif 000034
【０１５４】
表１２は、表１０によって適用された各レイヤの参照信号の循環シフト値である。
【０１５５】
【表１２】
0005518198.tif 000035
【０１５６】
レイヤの個数が２個または３個である時は、表１２の循環シフト値のうち一部のみを使用することができる。
【０１５７】
レイヤの個数に応じて、互いに異なる規則による循環シフト値を割り当てるのも可能である。例えば、ｒａｎｋ−２送信の場合、表１０の循環シフト値を割り当て、ｒａｎｋ−４送信の場合、表１２の循環シフト値を割り当てることができる。または、ｒａｎｋ−２送信の場合、表１２の循環シフト値を割り当て、ｒａｎｋ−４送信の場合、表１０の循環シフト値を割り当てることができる。
【０１５８】
循環シフト値とＯＣＣを結合して循環シフト値を割り当てることもできる。
【０１５９】
レイヤの個数が１個である時には循環シフトインデックスによって互いに異なる循環シフト値の割当が可能である。然しながら、複数のレイヤの場合、循環シフトインデックスは異なるが、同じ循環シフト値が割り当てられる場合が発生することができる。例えば、１個のレイヤの参照信号の循環シフト値として｛０，６，３，４，２，８，１０，９｝のうちいずれか一つが使われることができ、２個のレイヤの参照信号の循環シフト値として｛（０，６），（６，０），（３，９），（４，１０），（２，８），（８，２），（１０，４），（９，３）｝のうちいずれか一つが使われることができる。この時、（０，６）−（６，０）／（３，９）−（９，３）／（４，１０）−（１０，４）／（２，８）−（８，２）は、循環シフトインデックスは異なるが、互いに同じ循環シフト値を有するようになる。従って、このような場合、直交性を維持するためにＯＣＣが適用されることができる。例えば、（０，６）、（−６，−０）のようにＯＣＣを適用することができる。この時、第１のレイヤ及び第２のレイヤの参照信号に（−）符号を適用すると、第３のレイヤ及び第４のレイヤの参照信号に（＋）符号を適用することができる。
【０１６０】
表１３は、提案された発明による各レイヤの参照信号の循環シフト値の一例である。
【０１６１】
【表１３】
0005518198.tif 000036
【０１６２】
表１４は、提案された発明による各レイヤの参照信号の循環シフト値の他の例である。
【０１６３】
【表１４】
0005518198.tif 000037
【０１６４】
表１５は、表１４で第３のレイヤ及び第４のレイヤの参照信号にＯＣＣを適用する例である。
【０１６５】
【表１５】
0005518198.tif 000038
【０１６６】
表１６は、表１４で第１のレイヤの参照信号にＯＣＣを適用する例である。
【０１６７】
【表１６】
0005518198.tif 000039
【０１６８】
レイヤの個数が４個以下の場合には表１３乃至表１６の循環シフト値のうち一部レイヤの参照信号の循環シフト値のみを割り当てるのも可能である。
【０１６９】
図１３は、提案された参照信号送信方法の一実施例を示す。
【０１７０】
ステップＳ１００で、端末は複数のレイヤに対して各々異なる循環シフト値が割り当てられた複数の参照信号シーケンスを生成する。ステップＳ１１０で、端末は前記複数の参照信号シーケンスがマッピングされるＳＣ−ＦＤＭＡシンボルを生成する。ステップＳ１２０で、端末は前記ＳＣ−ＦＤＭＡシンボルを複数のアンテナを介して基地局に送信する。前記各レイヤに割り当てられた循環シフト値は、前記複数のレイヤのうち第１のレイヤに割り当てられた循環シフト値である第１の循環シフト値と各レイヤに割り当てられた互いに異なる循環シフトオフセットに基づいて決定されることができる。
【０１７１】
図１４は、本発明の実施例が具現される端末のブロック図である。
【０１７２】
端末９００は、参照信号生成部９１０、ＳＣ−ＦＤＭＡシンボル生成部９２０、及びＲＦ部９３０を含む。参照信号生成部９１０は、複数のレイヤに対して各々異なる循環シフト値が割り当てられた複数の参照信号シーケンスを生成する。ＳＣ−ＦＤＭＡシンボル生成部９２０は、前記参照信号生成部と連結され、複数の参照信号シーケンスがマッピングされるＳＣ−ＦＤＭＡシンボルを生成する。ＲＦ部９３０は、前記ＳＣ−ＦＤＭＡシンボル生成部と連結され、ＳＣ−ＦＤＭＡシンボルを複数のアンテナを介して基地局に送信する。
【０１７３】
本発明は、ハードウェア、ソフトウェアまたはこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニットまたはこれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【０１７４】
前述した例示的なシステムで、方法は一連のステップまたはブロックで順序図に基づいて説明されているが、本発明は、ステップの順序に限定されるものではなく、あるステップは、前述と異なるステップと異なる順序にまたは同時に発生することができる。また、当業者であれば、順序図に示すステップが排他的でなく、他のステップが含まれたり、或いは順序図の一つまたはその以上のステップが本発明の範囲に影響を及ぼさずに削除可能であることを理解することができる。
【０１７５】
前述した実施例は多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正及び変更を含む。
【図１】
0005518198.tif 000062
【図２】
0005518198.tif 000063
【図３】
0005518198.tif 000064
【図４】
0005518198.tif 000065
【図５】
0005518198.tif 000066
【図６】
0005518198.tif 000067
【図７】
0005518198.tif 000068
【図８】
0005518198.tif 000069
【図９】
0005518198.tif 000070
【図１０】
0005518198.tif 000071
【図１１】
0005518198.tif 000072
【図１２】
0005518198.tif 000073
【図１３】
0005518198.tif 000074
【図１４】
0005518198.tif 000075